(57)【要約】【課題】チャンネル変更の利便性を失わず、簡単にアンテナの調整ができるようにした無線機を提供すること。【解決手段】送信周波数及び受信周波数の少なくともいずれか一方の周波数を複数の周波数から選択する周波数選択部１２３と、周波数選択部１２３で選択された周波数の周波数帯域に対応する報知を行う報知部１２９、１３０と、周波数帯域に対応した長さに変更可能であって、周波数帯域に対応した長さになる位置に報知部１２９、１３０で報知した内容と対応した印をつけたアンテナ１１１と、を備えたので、ユーザはチャンネルが変更されて周波数帯域が切り替わったときに適切なアンテナ１１１の長さに変更することができる。【選択図】図１
2012120113.tif 000002
【特許請求の範囲】
【請求項１】
送信周波数及び受信周波数のうち少なくともいずれか一方の周波数を複数の周波数から選択する周波数選択部と、
所定の報知を行う報知部と、
前記報知部に前記周波数選択部で選択された周波数の周波数帯域に対応する報知をさせる制御部と、
前記周波数帯域に対応した長さに変更可能であって、前記周波数帯域に対応した長さになる位置に前記報知部で報知した内容と対応した印をつけたアンテナと、
を備える、無線機。
【請求項２】
前記印は色であることを特徴とする請求項１に記載の無線機。
【請求項３】
前記周波数選択部は送信周波数を選択することを特徴とする請求項１または２に記載の無線機。
【請求項４】
前記報知部は背景色が変更可能な表示部であり、
前記制御部は前記表示部の背景色を前記周波数選択部で選択された周波数の周波数帯域に対応する色に変更させることを特徴とする請求項２に記載の無線機。
【請求項５】
前記周波数帯域に対応する複数の電圧制御発振器と、
前記制御部は複数の電圧制御発振器のうち前記周波数選択部で選択された周波数の周波数帯域に対応する前記電圧制御発振器を選択し、
前記制御部で前記電圧制御発振器が選択されると選択された前記電圧制御発振器に導通する位置に接続した前記周波数選択部で選択された周波数帯域に対応する色の発光ダイオードと、を備え、
前記報知部による報知は発光ダイオードの発光によるものであることを特徴とする請求項２に記載の無線機。
【発明の詳細な説明】
【技術分野】
【０００１】
本発明は、無線機に関する。
【背景技術】
【０００２】
無線機は一般的にチャンネルを変更する操作部を設けており、操作部を操作することによりユーザが意図するチャンネルに変更して送信周波数、受信周波数を設定し、アンテナから電波を送受信する。
【０００３】
無線機に備えられたアンテナにおいて、送受信の効率を上げるためには、使用する周波数に同調するようにインピーダンスが整合していることが望ましい。そのため、主コイルの中に、補助コイルを収納し、補助コイルにロッドアンテナをつけて、このロッドアンテナの長さを周波数に応じた印をつけて移動させることによって周波数を設定できるようにしたアンテナがある。（特許文献１）
【先行技術文献】
【特許文献】
【０００４】
【特許文献１】特開平１１−２９８２２７号公報
【発明の概要】
【発明が解決しようとする課題】
【０００５】
特許文献１のロッドアンテナの例では、調整する長さの目安があるが、アンテナの長さを変更すると周波数を変更するので、アンテナの長さが変わってしまうと周波数が勝手に変わってしまうおそれがある。また、長さによってどのように周波数を設定するか不明である。また、チャンネル変更により送受信する周波数帯が変わったときに同調しないアンテナであっても、比較的電界強度が強い場合には電波を受信できる場合があるが、同調しないアンテナで電波を送信してしまった場合、送信の効率が落ちるだけでなく、送信電力の損失により発生した熱により、無線機の送信部に損傷を与えるおそれもある。
本発明はこのような問題点に鑑みてなされたものであり、チャンネル変更の利便性を失わず、簡単にアンテナの長さを調整できるようにした無線機を提供することを目的とする。
【課題を解決するための手段】
【０００６】
本発明の無線機では、送信周波数及び受信周波数の少なくともいずれか一方の周波数を複数の周波数から選択する周波数選択部と、
前記周波数選択部で選択された周波数の周波数帯域に対応する報知を行う報知部と、
前記周波数帯域に対応した長さに変更可能であって、前記周波数帯域に対応した長さになる位置に報知部で報知した内容と対応した印をつけたアンテナと、
を備えた。
【０００７】
また、本発明の無線機では、印は色であることが好ましい。
【０００８】
また、本発明の無線機では、周波数選択部は送信周波数を選択することが好ましい。
【０００９】
また、本発明の無線機では、背景色が変更可能な表示部を備え、
報知は、背景色の色を周波数選択部で選択された周波数の周波数帯域に対応する色によるものであることが好ましい。
【００１０】
また、本発明の無線機では、前記周波数帯域に対応する複数の電圧制御発振器と、
前記制御部は複数の電圧制御発振器のうち前記周波数選択部で選択された周波数の周波数帯域に対応する前記電圧制御発振器を選択し、
前記制御部で前記電圧制御発振器が選択されると選択された前記電圧制御発振器に導通する位置に接続した前記周波数選択部で選択された周波数帯域に対応する色の発光ダイオードと、を備え、
前記報知部による報知は発光ダイオードの発光によるものであることが好ましい。
【発明の効果】
【００１１】
本発明の無線機によれば、ユーザは簡単にアンテナの調整ができる。
【図面の簡単な説明】
【００１２】
【図１】本発明の第１の実施形態の無線機１００の構成を示す構成図である。
【図２】（ａ）無線機１００のアンテナ１１１の状態を示す外観斜視図である。            （ｂ）無線機１００のアンテナ１１１の状態を示す外観斜視図である。
【図３】チャンネル変更時に無線機１００のマイコン１２３で実行される処理を表すフローチャートである。
【図４】スキャンモード起動時の無線機１００のマイコン１２３で実行される処理を表すフローチャートである。
【図５】無線機１００の各チャンネルに設定される送信周波数、受信周波数、及び周波数帯域の一例である。
【図６】無線機１００の記憶部１２４に記憶されている帯域と、色、及びアナウンスを対応付けたデータの一例である。
【図７】本発明の第２の実施形態の無線機７００の構成を示す構成図である。
【図８】無線機７００のＰＬＬ／ＶＣＯ部７１６、緑色ＬＥＤ７４０及び橙色ＬＥＤ７４１についての詳細図である。
【図９】（ａ）無線機７００のアンテナ１１１の状態を示す外観斜視図である。            （ｂ）無線機７００のアンテナ１１１の状態を示す外観斜視図である。
【図１０】チャンネル変更時に無線機７００のマイコン７２３で実行される処理を表すフローチャートである。
【図１１】スキャンモード起動時に無線機７００のマイコン７２３で実行される処理を表すフローチャートである。
【発明を実施するための形態】
【００１３】
本発明の第１の実施形態の概要は次の通りである。
第１の実施形態である無線機では帯域をまたがる周波数変更（チャンネル変更）が行われた場合に、表示部の背景色を帯域に対応付けた色に変更する。そして、アンテナの長さがそれぞれの周波数帯域に適切な長さとなる位置には表示部で点灯させた色と同じ色の印が付けられている。従って、ユーザはアンテナの長さをどの位置に変更すればよいか、理解することができ、簡単にアンテナの調整ができる。
【００１４】
また、特に音声による注意喚起を行いたい場合に、ユーザがアナウンスモードを設定している場合には、音声による「橙色の印をアンテナ根元に合わせて下さい」といったアナウンスを導入し、その間は受信音声を録音し、アナウンスの終了後に録音音声を再生することで、注意喚起及び受信音声の視聴が可能になる。
【００１５】
以下、本発明の第１の実施形態の無線機１００について図１〜図６を参照しながら説明する。なお、以下の説明において、紙面表側を「前」、紙面裏側を「後ろ」、紙面左側を「左」、紙面右側を「右」、紙面上方を「上」および紙面下方を「下」とそれぞれ規定する。
【００１６】
図１は、無線機１００の構成を示す構成図である。
【００１７】
図１に示すように無線機１００のアンテナ１１１は送信部１１５から供給されたＲＦ（Radio Frequency）信号を電波として送出するとともに、ＲＦ信号を電波として受信して、受信部１１２に供給する。
受信部１１２はアンテナ１１１から供給されたＲＦ信号をＰＬＬ（Phase Locked Loop)／ＶＣＯ（Voltage Controlled Oscillator）１１６からの受信復調キャリア信号を用いて復調し、復調したアナログ信号をＡ／Ｄ（Analog／Digital）変換部１１４に供給する。
Ａ／Ｄ変換部１１４は受信部１１２から供給されたアナログ信号をデジタル信号に変換し、ＤＳＰ（Digital Signal Processor）１１８に供給する。
【００１８】
ＤＳＰ１１８はマイコン１２３からの制御によりＡ／Ｄ変換部１１４及びＡ／Ｄ変換部１２２から供給されたデジタル信号に対して、各種の信号処理を行う。ＤＳＰ１１８はＡ／Ｄ変換部１１４から供給されたデジタル信号からオーディオ信号を取り出してＤ／Ａ変換部１１９に供給する。また、ＤＳＰ１１８はＡ／Ｄ変換部１１４から供給されたデジタル信号から制御信号を取り出して、マイコン１２３に供給する。すなわち、ＤＳＰ１１８はＡ／Ｄ変換部１１４から供給されたデジタル信号からシンボルタイミング検出や復号を行い、オーディオ信号を生成する。
また、ＤＳＰ１１８はＡ／Ｄ変換部１２２から供給されたデジタルオーディオ信号を符号化し、マイコン１２３から設定された所定の変調方式でデータ変調し、マイコン１２３から供給された制御信号等を重畳して、Ｄ／Ａ（Digital／Analog）変換部１１７に供給する。
【００１９】
Ｄ／Ａ変換部１１９はＤＳＰ１１８から供給されたオーディオ信号をアナログ信号に変換し、スピーカ１２０に供給する。スピーカ１２０はＤ／Ａ変換部から供給されたオーディオ信号を増幅した後、音声に変換して出力する。
マイクロフォン１２１は入力された音声をオーディオ信号に変換し、増幅してＡ／Ｄ変換部１２２に供給する。Ａ／Ｄ変換部１２２はマイクロフォン１２１から供給されたオーディオ信号をデジタルオーディオ信号に変換し、ＤＳＰ１１８に供給する。
【００２０】
Ｄ／Ａ変換部１１７はＤＳＰ１１８から供給された信号をアナログ信号に変換して、送信部１１５に供給する。送信部１１５はＤ／Ａ変換部１１７から供給されるアナログ信号をＰＬＬ／ＶＣＯ１１６がマイコン１２３から受け取った周波数指定情報に基づいて出力する所定周波数の信号に基づき変調して所定の周波数の送信キャリア信号に変換し、変換した送信キャリア信号を増幅してアンテナ１１１を介して送信する。
【００２１】
ＰＬＬ／ＶＣＯ１１６は、マイコン１２３からの周波数指定情報に基づき、所定の周波数の信号を発振し、受信部１１２及び送信部１１５に供給する。
【００２２】
ＰＴＴ１２８はユーザの操作により送信と受信を切り替える送受信切替信号をマイコン１２３に供給する。具体的には、ＰＴＴ１２８が押下されたときは送信に、ＰＴＴ１２８が押下されていないときは受信になる送受信切替信号をマイコン１２３に供給する。
【００２３】
チャンネル操作部１２７はユーザの操作によりチャンネルを切り替えて送信周波数及び受信周波数を指定するチャンネル切替信号をマイコン１２３に供給する。チャンネル操作部１２７の操作によりマイコン１２３からは周波数指定情報がＰＬＬ／ＶＣＯ１１６に供給される（詳しくは後述）。設定操作部１２６はユーザの操作により設定を切り替える設定切替信号をマイコン１２３に供給する。設定操作部１２６で切り替えられる設定としては、例えば、後述するスキャンモード、アナウンスモード等がある。電源／音量操作部１３２はユーザの操作により電源をオンオフ信号と音量を設定する信号とをマイコン１２３に供給する。
【００２４】
マイコン１２３はＤＳＰ１１８から供給された制御信号、ＰＴＴ１２８から受け取った送受信切替信号、チャンネル操作部１２７から供給されたチャンネル切替信号、及び、チャンネル操作部１２７から供給された設定切替信号等により、記憶部１２４に記憶したプログラムを実行し、必要な制御信号を各部に供給する。
【００２５】
表示部１２５はマイコン１２３から表示すべき文字列を供給され、表示する。表示部１２５は、背景色が変更可能なバックライト（図示せず）を備えている。マイコン１２３からの制御信号により、背景色の変更やバックライトは点灯または消灯する。
【００２６】
記憶部１２４は、マイコン１２３が利用する各種プログラムやアナウンスの内容を記憶する。
【００２７】
図２の（ａ）及び（ｂ）は、無線機１００のアンテナ１１１の状態を示す外観斜視図である。
アンテナ１１１は無線機１００の筐体内に設けられた筐体内アンテナエレメント２１４と無線機１００の筐体外に伸縮自在に突出する筐体外アンテナエレメント２１５から構成されるロッドアンテナである。筐体内アンテナエレメント２１４と筐体外アンテナエレメント２１５とは共に筒状の金属部材で構成されている。
【００２８】
筐体内アンテナエレメント２１４は無線機１００の筐体内に設けられており、筐体外アンテナエレメント２１５の径より僅かに太く、筐体外アンテナエレメント２１５より僅かに長い筒状となっており、筐体外アンテナエレメント２１５が挿通している。筐体内アンテナエレメント２１４の端部は筐体外に露出して、筐体外アンテナエレメント保持部２１２を形成している。
【００２９】
筐体外アンテナ保持部２１２は無線機１００の上部左端に設けられており、筐体外アンテナエレメント２１５が挿通している。筐体外アンテナ保持部２１２の径は、筐体外アンテナエレメント２１５の径を締め付ける寸法となっており、筐体外アンテナ保持部２１２が筐体外アンテナエレメント２１５を締め付けることにより、筐体外アンテナエレメント２１５を自由な位置で固定することが可能となっている。
【００３０】
上述のように、筐体外アンテナエレメント２１５は筐体内アンテナエレメント２１４に挿通されている。従って、アンテナ１１１の長さは筐体外アンテナエレメント２１５と筐体内アンテナエレメント２１４との重なる部分の長さによって決まる。すなわち、アンテナ１１１の長さは筐体外アンテナエレメント２１５の上端から筐体内アンテナエレメント２１４の下端までとなるので、上記のように筐体外アンテナエレメント２１５を自由な位置で固定することにより、アンテナ１１１の長さを自由に変更することが可能である。
【００３１】
筐体外アンテナエレメント２１５には、緑色の印２１１及び橙色の印２１２が付けられている。緑色の印２１１はアンテナ１１１の長さがＵＨＦ（Ｕｌｔｒａ  Ｈｉｇｈ  Ｆｒｅｑｕｅｎｃｙ）帯域に適したアンテナ長となる位置に固定したとき筐体外アンテナ保持部２１２と重なる位置、橙色の印２１２はアンテナ１１１の長さがＶＨＦ（Ｖｅｒｙ  Ｈｉｇｈ  Ｆｒｅｑｕｅｎｃｙ）帯域に適したアンテナ長となる位置に固定したとき筐体外アンテナ保持部２１２と重なる位置に、それぞれ所定の幅を持って付けられている。
【００３２】
図２（ａ）はアンテナ１１１の長さをＶＨＦ帯域に適したアンテナ長にした状態を示している。すなわち、筐体外アンテナエレメント２１５に付けられた橙色の印２１２が筐体外アンテナ保持部２１２の位置になるように筐体外アンテナエレメント２１５の長さを調節して固定している。
図２（ｂ）はアンテナ１１１の長さをＵＨＦ帯域に適したアンテナ長にした状態を示している。すなわち、筐体外アンテナエレメント２１５に付けられた緑色の印２１２が筐体外アンテナ保持部２１２の位置になるように筐体外アンテナエレメント２１５の長さを調節して固定している。
【００３３】
図３はマイコン１２３で実行される処理を表すフローチャートである。図３のフローチャートは電源／音量操作部１３２による電源オンを検知したとき、及び、チャンネル操作部１２６の操作によるチャンネル切替信号を検知したときに実行される。
【００３４】
マイコン１２３は電源オン、又は、チャンネル切替信号を検知すると、記憶部１２４を参照し、チャンネル切替信号が指定するチャンネルの送信周波数、受信周波数、及び、ＵＨＦ、ＶＨＦ等の帯域を呼び出す（ステップＳ３０１）。
【００３５】
次に記憶部１２３に前回のチャンネルの帯域が記憶されているか否かを判定し（ステップＳ３０２）、前回のチャンネルの帯域が記憶されていた場合（ステップＳ３０２、Ｙ）、記憶部１２４に記憶された前回のチャンネルの帯域を呼び出して、今回のチャンネルの帯域と比較し、帯域間をまたがる切り替え、すなわち、この場合は、ＶＨＦ、ＵＨＦの切り替えがあったかどうかを判定する（ステップＳ３０３）。
【００３６】
ステップＳ３０２において記憶部１２３に前回のチャンネルの帯域が記憶されていなかった場合（ステップＳ３０２、Ｎ）、又は、帯域間をまたがる切り替えがあったと判定した場合（ステップＳ３０３、Ｙ）、記憶部１２４を参照し、変更後の帯域に対応した色の、バックライトを一定時間点灯する（ステップＳ３０４）。
【００３７】
無線機１００は例えば、図示しないコンピュータに接続されて、設定ソフトによって図５（詳しくは後述）に示すようなチャンネル番号と送信周波数、受信周波数及び帯域とが設定される。また、無線機１００は図６（詳しくは後述）に示すような帯域と、色、及びアナウンスを対応付けたデータが記憶部１２４に記憶されている。図５及び図６の例ではユーザによりチャンネル２からチャンネル３に切り替えられた場合、ＵＨＦからＶＨＦへの帯域をまたがる切り替えがあったと判定され、変更後の帯域はＶＨＦなので、表示部１２５の背景色は橙色に変更され、バックライトが一定時間点灯される。また、電源をオンしたときのチャンネルがチャンネル１であった場合、チャンネル１の帯域はＵＨＦであるので、表示部１２５の背景色は緑色に変更され、バックライトが一定時間点灯される。
【００３８】
次に、ステップＳ３０４と同様に記憶部１２４を参照して帯域変更のアナウンスを行う（ステップＳ３０５）。具体的には変更後の帯域に対応付けられた、アナウンス内容の音声データを再生する。例えば、図６の例では変更後の帯域がＶＨＦの場合には、「橙色の印をアンテナ根元に合わせて下さい」、ＵＨＦの場合には「緑色の印をアンテナ根元に合わせて下さい」というアナウンスを再生する。
【００３９】
ステップＳ３０５を終えた場合、または、ステップＳ３０３で帯域をまたがる切り替えがなかった場合（ステップＳ３０３、Ｎ）には、切り替えられたチャンネルに設定された周波数に変更する（ステップＳ３０６）。具体的には、記憶部１２４からチャンネルに対応した送信周波数、受信周波数を呼び出し、ＰＬＬ／ＶＣＯ部１１６に対して、周波数指定情報を伝達する。
次に、記憶部にチャンネルを記憶して（ステップＳ３０７）、処理を終了する。
【００４０】
なお、無線機１００の電源をオンにした直後は、電源をオフにしてからアンテナの長さが変わっていることが考えられるので、無線機１００が電源をオフされたときに、記憶部１２３に記憶した、チャンネルの帯域の記憶を消去することが好ましい。
【００４１】
図４は、設定操作部１２６によりスキャンモードが設定されている場合に、マイコン１２３で定期的に実行される処理を示したフローチャートである。ここで、スキャンモードとは、受信周波数を順次変更して、信号のある周波数を自動的に探すモードである。なお、スキャンモードは、設定操作部１２６によりユーザが設定する。
【００４２】
受信周波数の変更タイミングになると、記憶部１２４に記憶されたチャンネル番号１に対応した、受信周波数を呼び出す（ステップＳ４１０）。次に、ステップＳ４１０で呼び出したチャンネル番号１対応の受信周波数に対応した周波数指定情報をＰＬＬ／ＶＣＯ部１１６に対して伝達し、受信周波数の変更を行う（ステップＳ４１１）。
【００４３】
次に、変更した受信周波数での受信レベルが閾値以上か否かを判定する（ステップＳ４１２）。ステップＳ４１２で、受信レベルが閾値以上でないと判定した場合（ステップＳ４１２、Ｎ）、チャンネル番号が記憶部１２４に記憶されたチャンネルの中で最大かを判定する（ステップＳ４３１）。チャンネル番号が最大の場合（ステップＳ４３１、Ｙ）は、ステップＳ４１１に戻って、チャンネル番号１に対応した受信周波数に変更を行う。チャンネル番号が最大でない場合（ステップＳ４３１、Ｎ）、記憶部１２４からチャンネル番号を１追加したチャンネルの受信周波数を呼び出す（ステップＳ４３２）。次に、ステップＳ４３２で呼び出した周波数に対応した周波数指定情報をＰＬＬ／ＶＣＯ部１１６に対して伝達して、受信周波数の変更を行う。
【００４４】
ステップＳ４１２で受信レベルが閾値以上であると判定した場合（ステップＳ４１２、Ｙ）、アナウンスモードが否かを判定する（ステップＳ４１３）。ここで、アナウンスモードとは帯域変更のアナウンスを行うモードで、特に音声による注意喚起を行いたい場合に、ユーザが設定するモードである。なお、アナウンスモードの設定は、設定操作部１２６によりユーザが行う。
【００４５】
ステップＳ４１３によりアナウンスモードでないと判定した場合（ステップＳ４１３、Ｎ）、スピーカ１２０のミュートを解除し、受信した音声を出力する（ステップＳ４１４）。
【００４６】
ステップＳ４１４で受信した音声を出力したら、現在のチャンネルの帯域と記憶部１２４に記憶した前回のチャンネルの帯域を比較し、ステップＳ４１１の受信周波数変更で帯域をまたがる周波数の変更があったかどうかを判定する（ステップＳ４１５）。
【００４７】
帯域の変更があった場合（ステップＳ４１５、Ｙ）、記憶部１２４を参照し、表示部１２５の背景色を帯域に対応した色に変更し、バックライトを一定時間点灯する（ステップＳ４１６）。ステップＳ４１６でバックライトを点灯したら、次に振動部１３１を制御して無線機１００を振動させる（ステップＳ４１７）。アナウンスモードでないときは、音声による案内がないので、無線機１００を振動させることで、ユーザに注意を促すことができる。
【００４８】
ステップＳ４１７を終えた場合、通信が終了したか否かを判定する（ステップＳ４１８）。なお、通信が終了したか否かは受信レベルが閾値以下になったか否かで判定してもよいし、通信終了コマンドを受信したか否かで判定してもよい。ステップＳ４１８で通信が終了していないと判定した場合（ステップＳ４１８、Ｎ）、通信の終了を監視し続ける。
【００４９】
ステップＳ４１８で通信が終了したと判定した場合（ステップＳ４１８、Ｙ）、受信音声をミュートし（ステップＳ４１９）、受信していたチャンネルを記憶部に記憶（上書き）して（ステップＳ４４１）、処理を終了する。
【００５０】
ステップＳ４１３で、アナウンスモードであると判定した場合（ステップＳ４１３、Ｙ）、受信した音声の記憶部１２４への記録（録音）を開始する（ステップＳ４２０）。
【００５１】
ステップＳ４２０で受信した音声の録音を開始すると、現在のチャンネルの帯域と記憶部１２４に記憶した前回のチャンネルの帯域を比較し、ステップＳ４１１の受信周波数変更で帯域をまたがる周波数の変更があったかどうかを判定する（ステップＳ４２１）。帯域の変更があった場合（ステップＳ４２１、Ｙ）、記憶部１２４を参照し、キーの色を帯域に変更した色に変更し、一定時間バックライトを点灯する（ステップＳ４２２）。ステップＳ４２２でバックライトを点灯したら、次に、ステップＳ４２２と同様に記憶部１２４を参照して帯域変更のアナウンスを行う（ステップＳ４２３）。具体的には変更後の帯域に対応付けられた、アナウンス内容の音声データを再生する。
【００５２】
ステップＳ４２３で帯域変更のアナウンスを行ったら、次にステップＳ４２０で記憶部１２４に録音を開始された受信音声の再生を開始する（ステップＳ４２４）。すなわち、受信音声を録音して、アナウンスの分だけ遅延して再生させる。
【００５３】
ステップＳ４２４で受信音声の再生を開始した場合、通信が終了したか否かを判定する（ステップＳ４２５）。なお、通信が終了したか否かは受信レベルが閾値以下になったか否かで判定してもよいし、通信終了コマンドを受信したか否かで判定してもよい。ステップＳ４２５で通信が終了していないと判定した場合（ステップＳ４２５、Ｎ）、通信の終了を監視し続ける。
【００５４】
ステップＳ４２５で通信が終了したと判定した場合（ステップＳ４２５、Ｙ）、受信していたチャンネルを記憶部に記憶（上書き）する（ステップＳ４２６）。次に、受信音声の録音を終了し（ステップＳ４２７）、録音した受信音声の再生を終了して（Ｓ４２８）、処理を終了する。
【００５５】
図５は、無線機１００の各チャンネルに設定される送信周波数、受信周波数、及び周波数帯域の一例である。例えば、チャンネル１には、送信周波数として４２５．１０ＭＨｚが設定され、受信周波数として４２５．０５ＭＨｚが設定されている。また、これらの周波数の帯域はＵＨＦである。なお、図５に示す送信周波数、受信周波数は通常、無線機１００に接続されるパソコン（図示せず）にインストールされた設定ソフトを使い、無線機１００を販売するディーラにより設定されるが、設定操作部１２６によりユーザが設定するようにしてもよい。
【００５６】
図６は無線機１００の記憶部１２４に記憶されている帯域と、色、及びアナウンスを対応付けたデータの一例である。図６に示すデータでは、帯域がＶＨＦの場合に対応付けて、表示部１２５の背景色を橙色にする制御データ、及び「橙色の印をアンテナ根元に合わせて下さい」という音声データが対応付けられている。また、帯域がＵＨＦの場合に対応付けて、表示部１２５の背景色を緑色にする制御データ及び「橙色の印をアンテナ根元に合わせて下さい」という音声データが対応付けられている。
【００５７】
上述した無線機１００では、帯域をまたがる周波数変更（チャンネル変更）が行われた場合に、帯域に対応付けた色のバックライト１２９、１３０を点灯する。そして、アンテナ１１１の長さがそれぞれの周波数帯域に適切な長さとなる位置にバックライト１２９、１３０の色と同じ色の印が付けられている。従って、ユーザはアンテナ１１１の長さをどの位置に変更すればよいか、理解することができ、アンテナ１１１の調整ができる。
【００５８】
特にスキャンモードの場合には受信周波数の変更が行われたということは、受信レベルが閾値以上であるということであり、すなわち、すでに音声を受信している状態であるので、音声による注意喚起を行いたい場合には、まず受信音声を録音を開始し、受信音声の録音中に「橙色の印をアンテナ根元に合わせて下さい」といったアナウンスを再生し、アナウンスの終了後に録音音声を再生する。従って、注意喚起及び受信音声の視聴が可能になる。
【００５９】
次に、本発明の第２の実施形態について説明する。第２の実施形態の概要は次の通りである。
第２の実施形態の無線機では、帯域に対応した色のＬＥＤ（Light Emitting Diode）をそれぞれの帯域用の電圧制御発振器と電圧制御発振器の切替スイッチとの間に接続することで、マイコンにより電圧制御発振器の切替信号が供給された場合には帯域に対応した色のＬＥＤが点灯するようにする。
【００６０】
筐体外アンテナエレメントには、アンテナの長さが帯域に適した長さとなる位置に帯域に対応した色の印が付けられている。従って、ユーザは、アンテナの長さを帯域に適したアンテナ長となる位置に固定することが容易となる。
【００６１】
以下第２の実施形態の無線機７００について、図７から図１１を参照しながら説明する。
図７は、無線機７００の構成を示す構成図である。無線機７００では第１の実施形態で示した無線機１００と同一の構成を含むため、同一の構成については同一の符号を付して説明すると共に、異なる点のみ説明する。無線機７００の無線機１００と異なる点は、無線機１００にあった表示部１２５がない点と、マイコン１２３の代わりにマイコン７２３、ＰＬＬ／ＶＣＯ部１１６の代わりにＰＬＬ／ＶＣＯ部７１６、を備える点、及び緑色ＬＥＤ７４０及び橙色ＬＥＤ７４１を新たに備える点である。なお、図５に示した無線機をＰＣ接続し送信周波数、受信周波数、帯域を設定ソフトにより設定し、記憶部に記憶する点は無線機７００でも全く同様である。
【００６２】
マイコン７２３はＤＳＰ１１８から供給された制御信号、ＰＴＴ１２８から受け取った送受信切替信号、チャンネル操作部１２７から供給されたチャンネル切替信号、及び、チャンネル操作部１２７から供給された設定切替信号等により、記憶部１２４に記憶したプログラムを実行し、必要な制御信号を各部に供給する。
【００６３】
ＰＬＬ／ＶＣＯ７１６は詳細を図８に示すようにマイコン７２３からの周波数指定情報に基づき、所定の周波数の信号を発振し、受信部１１２及び送信部１１５に供給する。
【００６４】
図８は無線機７００のＰＬＬ／ＶＣＯ部７１６、緑色ＬＥＤ７４０及び橙色ＬＥＤ７４１についての詳細図である。
【００６５】
位相比較器８０３、低域フィルタ８０４、ＵＨＦ帯域用電圧制御発振器（ＶＣＯ（ＵＨＦ））８０５、ＶＨＦ帯域用電圧制御発振器（ＶＣＯ（ＶＨＦ））８０６、ＬＰＦ８０６、可変分周器８０７は位相ループを形成している。
【００６６】
水晶発振器（ＴＣＸＯ）８０１は、水晶発振により所定の周波数の信号（例えば、１０ＭＨｚ）を安定して発振し、固定分周器８０２に供給する。
固定分周器８０２は、水晶発振器８０１から供給された所定の周波数の信号を所定の分周比で分周し、基準信号として位相比較器８０３に供給する。なお、固定分周比８０２に設定される分周比は変更したい周波数間隔に合わせて、予め設定される。
【００６７】
位相比較器８０３は、固定分周器８０２から供給された基準信号と可変分周器８０７から供給された分周信号との位相比較を行い、その位相差を電圧に変換した位相誤差信号を低域フィルタ（ＬＰＦ）８０４に対し供給する。
【００６８】
低域フィルタ８０４は位相比較器８０３から供給された位相誤差信号から不要高周波及び雑音を除去した直流電圧をＵＨＦ帯域用電圧制御発振器８０５またはＶＨＦ帯域用電圧制御発振器８０６に対し供給する。なお、この低域フィルタ８０４の振幅特性及び位相特性によって、ＰＬＬ／ＶＣＯ部７１６の応答特性、同期特性が決定される。すなわち、低域フィルタ８０４のインダクタンス、静電容量等を選択して、可変分周器８０７による周波数切り替えの時間特性などを設定する。
【００６９】
ＵＨＦ帯域用電圧制御発振器８０５は電源（図示せず）から切替スイッチ８０８を介して電源を供給されており、低域フィルタ８０４から供給された直流電圧により、基準信号と分周信号の位相差が少なくなる方向に発振周波数を変化させて、ロック出力発振信号を受信部１１２及び送信部１１５へ供給すると共に、可変分周器８０７に対し供給する。
【００７０】
ＶＨＦ帯域用電圧制御発振器８０６は電源（図示せず）から切替スイッチ８０８を介して電源を供給されており、低域フィルタ８０４から供給された直流電圧で周波数をロックし、出力発振信号を受信部１１２及び送信部１１５へ供給すると共に、可変分周器８０７に対し供給する。
【００７１】
可変分周器８０７はマイコンから周波数指定情報を供給され、ＵＨＦ帯域用電圧制御発振器８０５またはＶＨＦ帯域用電圧制御発振器８０６から供給された出力発振信号を周波数指定情報に基づき設定した分周比で分周し、分周信号として位相比較器８０３に供給する。
【００７２】
切替スイッチ８０８は電源（図示せず）から電源を供給され、マイコン１２３からのＵＨＦ／ＶＨＦ切り替え信号により、ＵＨＦ帯域用電圧制御発振器８０５と緑色ＬＥＤ７４０とに接続された側と、ＶＨＦ帯域用電圧制御発振器８０６と橙色ＬＥＤ６４１とに接続された側とを切り替える。
【００７３】
すなわち、切替スイッチ８０８はＵＨＦへの切り替え信号を受け取った場合は、ＵＨＦ帯域用電圧制御発振器８０５と緑色ＬＥＤ７４０とに接続された側に電源を供給し、ＶＨＦ帯域用電圧制御発振器８０６と橙色ＬＥＤ７４１とに接続された側への電源供給を遮断する。また、ＶＨＦへの切り替え信号を受け取った場合はＵＨＦ帯域用電圧制御発振器８０５と緑色ＬＥＤ７４０とに接続された側への電源供給を遮断し、ＶＨＦ帯域用電圧制御発振器８０６と橙色ＬＥＤ７４１とに接続された側へ電源を供給する。
【００７４】
緑色ＬＥＤ７４０は切替スイッチ８０８とＵＨＦ帯域用電圧制御発振器８０５との間に接続され、マイコン１２３からのＵＨＦ／ＶＨＦ切り替え信号により、ＵＨＦ帯域用電圧制御発振器８０５に電源が供給されるよう、切替スイッチ８０８が制御されたとき、緑色に発光する発光ダイオードである。
【００７５】
橙色ＬＥＤ７４１は切替スイッチ８０８とＶＨＦ帯域用電圧制御発振器８０６との間に接続され、マイコン１２３からのＵＨＦ／ＶＨＦ切り替え信号により、ＶＨＦ帯域用電圧制御発振器８０６に電源が供給されるよう、切替スイッチ８０８が制御されたとき、橙色に発光する発光ダイオードである。
【００７６】
図９の（ａ）及び（ｂ）は、無線機７００のアンテナ１１１の状態を示す外観斜視図である。
【００７７】
図９（ａ）はアンテナ１１１の長さをＶＨＦ帯域に適したアンテナ長にした状態を示している。すなわち、筐体外アンテナエレメント２１５に付けられた橙色の印２１２が筐体外アンテナ保持部２１２の位置になるように筐体外アンテナエレメント２１５の長さを調節して固定している。
【００７８】
図９（ｂ）はアンテナ１１１の長さをＵＨＦ帯域に適したアンテナ長にした状態を示している。すなわち、筐体外アンテナエレメント２１５に付けられた緑色の印２１２が筐体外アンテナ保持部２１２の位置になるように筐体外アンテナエレメント２１５の長さを調節して固定している。
【００７９】
図１０はチャンネル変更時に無線機７００のマイコン７２３で実行される処理を表すフローチャートである。図１０のフローチャートは電源／音量操作部１３２による電源オンを検知したとき、及び、チャンネル操作部１２６の操作によるチャンネル切替信号を検知しときに実行される。
マイコン１２３は電源オン、又は、チャンネル切替信号を検知すると、記憶部１２４を参照し、チャンネル切替信号が指定するチャンネルの送信周波数、受信周波数、及び、ＵＨＦ、ＶＨＦ等の帯域を呼び出す（ステップＳ１０１１）。
【００８０】
次に記憶部１２３に前回のチャンネルの帯域が記憶されているか否かを判定し（ステップＳ１０１２）。前回のチャンネルの帯域が記憶されていた場合（ステップＳ１０１２、Ｙ）、記憶部１２４に記憶された前回のチャンネルの帯域を呼び出して、今回のチャンネルの帯域と比較し、帯域間をまたがる切り替え、すなわち、この場合は、ＶＨＦ、ＵＨＦの切り替えがあったかどうかを判定する（ステップＳ１０１３）。
【００８１】
ステップＳ３０２において記憶部１２３に前回のチャンネルの帯域が記憶されていなかった場合（ステップＳ１０１２、Ｎ）、又は、帯域間をまたがる切り替えがあったと判定した場合（ステップＳ１０１３、Ｙ）、記憶部１２４を参照し、変更後の帯域にあわせた電圧制御発振器に切り替えるためのＵＨＦ／ＶＨＦ切替コマンドをＵＨＦ／ＶＨＦ切替スイッチ８０８に対し送信する（ステップＳ１０１４）。
【００８２】
無線機７００は例えば、図示しないコンピュータに接続されて、設定ソフトによって図５（詳しくは後述）に示すようなチャンネル番号と送信周波数、受信周波数及び帯域とが設定される。
【００８３】
図５の例ではユーザによりチャンネル２からチャンネル３に切り替えられた場合、ＵＨＦからＶＨＦへの帯域をまたがる切り替えがあったと判定され、ＶＨＦ帯域用電圧制御発振器８０６への切替コマンドが送信される。切替スイッチ８０８はＶＨＦへの切り替え信号を受け取った場合は、ＶＨＦ帯域用電圧制御発振器８０６と赤色ＬＥＤ７４１とに接続された側に電源を供給し、これによりＶＨＦ帯域用電圧制御発振器８０６が動作すると共に、赤色ＬＥＤ７４１が点灯する。
【００８４】
また、図５の例において、電源をオンしたときのチャンネルがチャンネル１であった場合、チャンネル１の帯域はＵＨＦであるので、ＵＨＦ帯域用電圧制御発振器８０５への切替コマンドが送信される。切替スイッチ８０８はＵＨＦへの切り替え信号を受け取った場合は、ＵＨＦ帯域用電圧制御発振器８０５と緑色ＬＥＤ７４０とに接続された側に電源を供給するので、ＵＨＦ帯域用電圧制御発振器８０５が動作すると共に、緑色ＬＥＤ７４０が点灯する。
ステップＳ１０１４を終えた場合、または、ステップＳ１０１３で帯域をまたがる切り替えがなかった場合（ステップＳ１０１３、Ｎ）には、切り替えられたチャンネルに設定された周波数に変更する（ステップＳ１０１５）。具体的には、記憶部１２４からチャンネルに対応した送信周波数、受信周波数を呼び出し、ＰＬＬ／ＶＣＯ部１１６に対して、周波数指定情報を伝達する。
次に、記憶部にチャンネルを記憶して（ステップＳ１０１６）、処理を終了する。
【００８５】
なお、無線機１００の電源をオンにした直後は、電源をオフにしてからアンテナの長さが変わっていることが考えられるので、無線機１００が電源をオフされたときに、記憶部１２３に記憶した、チャンネルの帯域の記憶を消去することが好ましい。
【００８６】
図１１は、設定操作部１２６によりスキャンモードが設定されている場合に、マイコン７２３で定期的に実行される処理を示したフローチャートである。ここで、スキャンモードとは、受信周波数を順次変更して、信号のある周波数を自動的に探すモードである。なお、スキャンモードの設定は、設定操作部１２６によりユーザが行う。
【００８７】
受信周波数の変更タイミングになると、記憶部１２４に記憶されたチャンネル番号１に対応した、受信周波数と周波数帯域を呼び出す（ステップＳ１１１０）。次に、現在のチャンネルの帯域と記憶部１２４に記憶した前回のチャンネルの帯域を比較し、帯域をまたがる周波数の変更があるかどうかを判定する（ステップＳ１１１２）。
ステップＳ１１１２で帯域をまたがる周波数の変更があった場合（ステップＳ１１１２、Ｙ）、記憶部１２４を参照し、変更後の帯域にあわせた電圧制御発振器に切り替えるためのＵＨＦ／ＶＨＦ切替コマンドをＵＨＦ／ＶＨＦ切替スイッチ８０８に対し送信する（ステップＳ１１１３）。ステップＳ１１１３を終えた場合、または、ステップＳ１１１２で帯域をまたがる切り替えがなかった場合（ステップＳ１１１２、Ｎ）には、ステップＳ１１１０で呼び出したチャンネル番号１対応の受信周波数に対応した周波数指定情報をＰＬＬ／ＶＣＯ部７１６に対して伝達し、受信周波数の変更を行う（ステップＳ１１１４）。
【００８８】
次に、変更した受信周波数での受信レベルが閾値以上か否かを判定する（ステップＳ１１１５）。ステップＳ１１１５で、受信レベルが閾値以上でないと判定した場合（ステップＳ１１１５、Ｎ）、チャンネル番号が記憶部１２４に記憶されたチャンネルの中で最大かを判定する（ステップＳ１１２１）。
【００８９】
チャンネル番号が最大でない場合（ステップＳ１１２１、Ｎ）、記憶部１２４からチャンネル番号を１追加したチャンネルの受信周波数を呼び出す（ステップＳ１１２２）。次に、現在のチャンネルの帯域と記憶部１２４に記憶した前回のチャンネルの帯域を比較し、帯域をまたがる周波数の変更があるかどうかを判定する（ステップＳ１１２３）。
【００９０】
ステップＳ１１１２で帯域をまたがる周波数の変更があった場合（ステップＳ１１２３、Ｙ）、記憶部１２４を参照し、変更後の帯域（ＵＨＦまたはＶＨＦ）にあわせた電圧制御発振器に切り替えるためのＵＨＦ／ＶＨＦ切替コマンドをＵＨＦ／ＶＨＦ切替スイッチ８０８に対し送信する（ステップＳ１１２４）。ステップＳ１１２４を終えた場合、または、ステップＳ１１２３で帯域をまたがる切り替えがなかった場合（ステップＳ１１２３、Ｎ）には、ステップＳ１１２２で呼び出した受信周波数に対応した周波数指定情報をＰＬＬ／ＶＣＯ部７１６に対して伝達し、受信周波数の変更を行う（ステップＳ１１２５）。
【００９１】
ステップＳ１１１５で受信レベルが閾値以上であると判定した場合（ステップＳ１１１５、Ｙ）、スピーカ１２０のミュートを解除し受信した音声を出力する（ステップＳ１１１６）。
【００９２】
ステップＳ１１１６でミュートを解除したら、通信が終了したか否かを判定する（ステップＳ１１１７）。なお、通信が終了したか否かは受信レベルが閾値以下になったか否かで判定してもよいし、通信終了コマンドを受信したか否かで判定してもよい。ステップＳ１１１７で通信が終了していないと判定した場合（ステップＳ１１１７、Ｎ）、通信の終了を監視し続ける。
【００９３】
ステップＳ１１１７で通信が終了したと判定した場合（ステップＳ１１１７、Ｙ）、スピーカ１２０にミュートをかけ（ステップＳ１１１８）、受信していたチャンネルを記憶部に記憶（上書き）して（ステップＳ１１１９）、処理を終了する。
【００９４】
上記の無線機７００では、緑色ＬＥＤ７４０を切替スイッチ８０８とＵＨＦ帯域用電圧制御発振器８０５との間に接続し、橙色ＬＥＤ７４１と切替スイッチ８０８とＶＨＦ帯域用電圧制御発振器８０６との間に接続し、マイコン１２３はチャンネル変更により帯域をまたがる周波数の変更があった場合（ステップＳ１１２３、Ｙ）、記憶部１２４を参照し、変更後の帯域（ＵＨＦまたはＶＨＦ）にあわせた電圧制御発振器に切り替えるためのＵＨＦ／ＶＨＦ切替コマンドをＵＨＦ／ＶＨＦ切替スイッチ８０８に対し送信して、ＵＨＦ／ＶＨＦ切り替え信号により切替スイッチ８０８を切換えるので、例えば、チャンネルがＵＨＦに切り替わったときは緑色ＬＥＤ７４０、チャンネルがＶＨＦに切り替わったときは橙色ＬＥＤ７４１がそれぞれ点灯する。
【００９５】
そして、筐体外アンテナエレメント２１５には、緑色の印２１１及び橙色の印２１２が付けられている。緑色の印２１１はアンテナ１１１の長さがＵＨＦ帯域に適したアンテナ長となる位置に固定したとき筐体外アンテナエレメント保持部２１２と重なる位置、橙色の印２１２はアンテナ１１１の長さがＶＨＦ帯域に適したアンテナ長となる位置に固定したとき筐体外アンテナエレメント保持部２１２と重なる位置に、それぞれ所定の幅を持って付けられている。
【００９６】
従って、ユーザは、例えば、チャンネルがＵＨＦに切り替わったとき筐体外アンテナエレメント２１５に付けられた緑色の印２１１を筐体外アンテナエレメント保持部２１２と重ねる位置にあわせることが理解でき、アンテナ１１１の長さがＵＨＦ帯域に適したアンテナ長となる位置に固定することが容易となる。
【００９７】
また、ユーザは、例えば、チャンネルがＶＨＦに切り替わったとき、筐体外アンテナエレメント２１５に付けられた橙色の印２１３を筐体外アンテナエレメント保持部２１２と重ねる位置にあわせることが理解でき、アンテナ１１１の長さがＶＨＦ帯域に適したアンテナ長となる位置に固定することが容易となる。
【００９８】
なお、本発明は上述した実施形態に留まらず、適宜変更が可能である。例えば、上記実施の形態では表示部１２５の背景色を帯域に対応した色に変更したり緑色ＬＥＤ７４０、橙色ＬＥＤ７４１を点灯したりしたが、アンテナの根元に位置する筐体外アンテナ保持部２１２を帯域に対応した色に点灯させると、アンテナ１１１に付した印２１１、２１３をどの位置にあわせるかが分かりやすく、より効果的である。
【００９９】
また、点灯する部分は点滅してもよい。さらに点滅パターンは周波数帯ごとに変更してもよい。この場合は、点滅パターンを記憶部１２４に記憶し、適宜読み出して制御する。
また、アンテナ１１１につける印２１１、２１３は色ではなく、凸凹などの印でもよい。この場合は、アナウンスのみで長さ調整を促す。そしてこの場合は視覚障害者が無線機を使う場合にも簡単にアンテナの調整ができる。
また、アナウンスの内容は音声合成等で予め設定されたアナウンスを記憶部１２４に保存するようにしてもよいし、ユーザによって録音ができるようにしてもよい。
また、上記実施形態では周波数帯域としてＵＨＦ、ＶＨＦを例示したが、当然このほかの帯域であってもよい。
【０１００】
本実施形態の無線機では、送信周波数及び受信周波数の少なくともいずれか一方の周波数を複数の周波数から選択する周波数選択部と、周波数選択部で選択された周波数の周波数帯域に対応する報知を行う報知部と、周波数帯域に対応した長さに変更可能であって、周波数帯域に対応した長さになる位置に報知部で報知した内容と対応した印をつけたアンテナと、を備えるので、ユーザはチャンネルが変更されて周波数帯域が切り替わったときに適切なアンテナの長さに変更することができる。
【０１０１】
周波数選択部は例えば、チャンネル操作部１２７や、マイコン１２３である。周波数帯域は例えばＵＨＦ帯域及びＶＨＦ帯域である。報知部は例えば、表示部１２５、緑色ＬＥＤ７４０、橙色ＬＥＤ７４１、スピーカ１２０などである。
印は、例えば、緑色の印２１１、橙色の印２１３、凸凹などである。
【０１０２】
また、本実施形態の無線機では、印は色であることが好ましい。色の例は、緑色、橙色であるが、他の色、例えば青色でもよい。
【０１０３】
また、本実施形態の無線機では、周波数選択部は送信周波数を選択することが好ましい。
すなわち、送信時ではアンテナの長さの調整を行うことが、受信時よりも更に効果的であるため送信周波数として選択された周波数の周波数帯域に合わせたアンテナの長さを選択できることが好ましい。
【０１０４】
また、本実施形態の無線機では、背景色が変更可能な表示部を備え、
報知は、背景色の色を周波数選択部で選択された周波数の周波数帯域に対応する色によるものであることが好ましい。ユーザはチャンネルが変更されて周波数帯域が切り替わったときに、どの位置にアンテナの長さを変更すればよいか分かりやすい。
表示部の例は表示部１２５である。周波数の周波数帯域に対応する色の例は、ＶＨＦで橙色、ＵＨＦで緑色である。
【０１０５】
また、本実施形態の無線機では、周波数帯域に対応する複数の電圧制御発振器と、
制御部は複数の電圧制御発振器のうち周波数選択部で選択された周波数の周波数帯域に対応する電圧制御発振器を選択し、
制御部で電圧制御発振器が選択されると選択された電圧制御発振器に導通する位置に接続した周波数選択部で選択された周波数帯域に対応する色の発光ダイオードと、を備え、
報知部による報知は発光ダイオードの発光によるものであることが好ましい。電圧制御発振器の例はＵＨＦ用電圧制御発振器８０５、及びＶＨＦ用電圧制御発振器８０６である。電圧制御発振器選択部の例は、例えば切替スイッチ８０８である。発光ダイオードの例は緑色ＬＥＤ７４０及び橙色ＬＥＤ７４１である。
【０１０６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０７】
１００、７００  無線機
１１１  アンテナ
１１６、７１６  ＰＬＬ／ＶＣＯ部
１２３  マイコン
１２４  記憶部
１２７  チャンネル操作部
２１１  緑色の印
２１３  橙色の印
７４０  緑色ＬＥＤ
７４１  橙色ＬＥＤ
８０５  ＵＨＦ用電圧制御発振器
８０６  ＶＨＦ用電圧制御発振器
８０８  ＵＨＦ／ＶＨＦ切替器
【図１】
2012120113.tif 000003
【図２】
2012120113.tif 000004
【図３】
2012120113.tif 000005
【図４】
2012120113.tif 000006
【図５】
2012120113.tif 000007
【図６】
2012120113.tif 000008
【図７】
2012120113.tif 000009
【図８】
2012120113.tif 000010
【図９】
2012120113.tif 000011
【図１０】
2012120113.tif 000012
【図１１】
2012120113.tif 000013